(57)【要約】      （修正有）【課題】変調符号化方式の選択及び設定のための方法、システム及び装置を提供する。【解決手段】モバイル通信装置は、テーブルコンポーネント、テーブル選択コンポーネント及び通信コンポーネントを有する。テーブルコンポーネントは、各テーブルが複数の利用可能な変調方式のエントリを有する２つ以上のテーブルを維持するよう構成される。２つ以上のテーブルはデフォルトテーブル及びセカンダリテーブルを有する。デフォルトテーブル及びセカンダリテーブルは、一致した数のエントリを有し、セカンダリテーブルは、２５６ＱＡＭ方式に対応するエントリを有する。テーブル選択コンポーネントは、デフォルトテーブル及びセカンダリテーブルの１つから選択されるテーブルを選択するよう構成される。通信コンポーネントは、選択されたテーブルの変調符号化方式に基づきｅＮＢから通信を受信して処理するよう構成される。【選択図】図２
2018152856.tif 000002
【特許請求の範囲】
【請求項１】
セルラ基地局の装置であって、
前記セルラ基地局がユーザ装置（ＵＥ）と通信することを可能にするよう構成される１つ以上の通信デバイスであって、前記ＵＥは第１の変調データグループと第２の変調データグループとに対応する変調データを維持するよう構成される、通信デバイスと、
前記１つ以上の通信デバイスに動作可能に結合される１つ以上のプロセッサと、
を有し、
前記１つ以上のプロセッサは、
前記１つ以上の通信デバイスを介し前記ＵＥに送信される１つ以上のメッセージを生成し、前記１つ以上のメッセージは、物理レイヤより上位のレイヤのパラメータ、巡回冗長チェック（ＣＲＣ）をスクランブル化するのに用いられるＲＮＴＩ（Ｒａｄｉｏ  Ｎｅｔｗｏｒｋ  Ｔｅｍｐｏｒａｒｙ  Ｉｄｅｎｔｉｆｉｅｒ）及びダウンリンク制御情報（ＤＣＩ）メッセージの特徴に少なくとも部分的に基づき、前記第１の変調データグループと前記第２の変調データグループとの何れかを前記ＵＥに通知するよう構成され、
前記第１の変調データグループと前記第２の変調データグループとの決定された一方を用いて前記ＵＥとの通信を符号化する、
よう構成される装置。
【請求項２】
前記１つ以上のメッセージは、前記物理レイヤより上位のレイヤのパラメータが前記第２の変調データグループが利用されるべきであることを示し、物理ダウンリンク共有チャネル（ＰＤＳＣＨ）がセルＲＮＴＩ（Ｃ−ＲＮＴＩ）によりスクランブル化されたＣＲＣを備えた物理ダウンリンク制御チャネル（ＰＤＣＣＨ）又はエンハンスト物理ダウンリンク制御チャネル（ＥＰＤＣＣＨ）の一方によって割り当てられている場合、前記第２の変調データグループが利用されるべきであることを示すよう構成される、請求項１記載の装置。
【請求項３】
前記１つ以上のプロセッサは、前記１つ以上のメッセージが前記第２の変調データグループが利用されるべきであることを示さない場合、前記第１の変調データグループを用いて前記ＵＥとの通信を符号化するよう構成される、請求項２記載の装置。
【請求項４】
前記第１の変調データグループは、デフォルト変調データグループである、請求項１乃至３何れか一項記載の装置。
【請求項５】
前記第１の変調データグループは、変調符号化方式インデックス（ＩＭＣＳ）の複数の異なるインデックスと、変調オーダ（Ｑｍ）の第１の複数のオーダとを含み、前記ＩＭＣＳの複数の異なるインデックスのそれぞれは前記Ｑｍの第１の複数のオーダの異なるものに対応し、前記Ｑｍの第１の複数のオーダのそれぞれは２５６−ＱＡＭ変調オーダに対応する８の変調オーダ未満であり、
前記第２の変調データグループは、前記ＩＭＣＳの複数の異なるインデックスと、前記Ｑｍの第２の複数のオーダとを含み、前記ＩＭＣＳの複数の異なるインデックスのそれぞれは前記Ｑｍの第２の複数のオーダの異なるものに対応し、前記第２の複数のオーダの少なくとも１つは前記８の変調オーダに等しい、請求項１乃至３何れか一項記載の装置。
【請求項６】
前記第２の複数のオーダの少なくとも７つは、８の変調オーダに等しい、請求項５記載の装置。
【請求項７】
前記第２の複数のオーダの少なくとも７つは、少なくともトランスポートブロックサイズインデックス（ＩＴＢＳ）２７〜３３に対応する、請求項６記載の装置。
【請求項８】
前記第１の変調データグループと前記第２の変調データグループとは、物理ダウンリンク共有チャネル（ＰＤＳＣＨ）の異なる変調トランスポートブロックサイズ（ＴＢＳ）インデックステーブルに対応する、請求項１乃至３何れか一項記載の装置。
【請求項９】
前記第１の変調データグループに対応する第１の変調ＴＢＳインデックステーブルは、前記第２の変調データグループに対応する第２の変調ＴＢＳインデックステーブルと同じサイズを有する、請求項８記載の装置。
【請求項１０】
格納された変調データを含む１つ以上のデータストレージデバイスを更に有する、請求項１乃至３何れか一項記載の装置。
【請求項１１】
進化型ＮｏｄｅＢ（ｅＮＢ）の装置であって、
格納されたコンピュータ可読命令を含む１つ以上のコンピュータ可読記憶媒体を有し、
前記コンピュータ可読命令は、
物理レイヤより上位のレイヤのパラメータが上位オーダ変調（ＨＯＭ）が利用されるべきであることを物理ダウンリンク共有チャネル（ＰＤＳＣＨ）示すことと、前記ＰＤＳＣＨが、セルＲＮＴＩ（Ｒａｄｉｏ  Ｎｅｔｗｏｒｋ  Ｔｅｍｐｏｒａｒｙ  Ｉｄｅｎｔｉｆｉｅｒ）によってスクランブル化されたダウンリンク制御情報（ＤＣＩ）メッセージの巡回冗長チェック（ＣＲＣ）を備えた物理ダウンリンク制御チャネル（ＰＤＣＣＨ）又はエンハンスト物理ダウンリンク制御チャネル（ＥＰＤＣＣＨ）の一方によって割り当てられることとを利用して、変調符号化方式インデックス（ＩＭＣＳ）と第２の変調トランスポートブロックサイズ（ＴＢＳ）インデックステーブルとが、物理ダウンリンク共有チャネル（ＰＤＳＣＨ）において用いられる変調オーダ（Ｑｍ）を決定するのに利用されるべきであることをユーザ装置（ＵＥ）に通知し、
前記ＩＭＣＳと第１の変調ＴＢＳインデックステーブルとを用いて、前記ＰＤＳＣＨにおいて利用されるＱｍを通知する、
よう１つ以上のプロセッサに指示するよう構成される装置。
【請求項１２】
前記第１の変調ＴＢＳインデックステーブルは、前記Ｑｍの第１の複数のオーダに対応する前記ＩＭＣＳの複数の異なるインデックスと、ＴＢＳインデックスＩＴＢＳの第１の複数のインデックスとを含む、請求項１１記載の装置。
【請求項１３】
前記第２の変調ＴＢＳインデックステーブルは、前記Ｑｍの第２の複数のオーダに対応する前記ＩＭＣＳの複数の異なるインデックスと、前記ＩＴＢＳの第２の複数のインデックスとを含む、請求項１２記載の装置。
【請求項１４】
前記第２の変調ＴＢＳインデックステーブルは、前記第１の変調ＴＢＳインデックステーブルと同じ長さを有する、請求項１３記載の装置。
【請求項１５】
前記Ｑｍの第２の複数のオーダは、２５６−ＱＡＭ変調オーダに対応する８の変調オーダに等しい複数のオーダを含む、請求項１３又は１４記載の装置。
【請求項１６】
前記Ｑｍの第１の複数のオーダのそれぞれは、２５６−ＱＡＭ変調オーダに対応する８の変調オーダ未満のオーダを含む、請求項１３又は１４記載の装置。
【請求項１７】
セルラ基地局の動作方法であって、
第１の変調トランスポートブロックサイズ（ＴＢＳ）テーブルでなく第２の変調ＴＢＳインデックステーブルが、物理ダウンリンク共有チャネル（ＰＤＳＣＨ）において利用すべき変調オーダＱｍを決定するのに利用されるべきであることを、前記第２の変調ＴＢＳインデックステーブルが利用されるべきであることを通知する上位レイヤパラメータをユーザ装置（ＵＥ）に送信し、Ｃ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｆｉｅｒ）によってスクランブル化された巡回冗長チェック（ＣＲＣ）を備えた物理ダウンリンク制御チャネル（ＰＤＣＣＨ）又はエンハンストＰＤＣＣＨ（ＥＰＤＣＣＨ）の一方によって前記ＰＤＳＣＨを割り当てることによって、前記ユーザ装置に通知し、
前記第２の変調ＴＢＳインデックステーブルが前記上位レイヤパラメータを送信することなく前記Ｃ−ＲＮＴＩによって前記ＣＲＣをスクランブル化することによって利用されるべきであることを前記ＵＥに通知する、
ことを有する方法。
【請求項１８】
前記第２の変調ＴＢＳインデックステーブルの最も高いオーダは、前記第１の変調ＴＢＳインデックステーブルの最も高いオーダより高い、請求項１７記載の方法。
【請求項１９】
前記第２の変調ＴＢＳインデックステーブルは、２５６−ＱＡＭに対応する８に等しい少なくともいくつかの変調オーダを含む、請求項１７記載の方法。
【請求項２０】
前記第２の変調ＴＢＳインデックステーブルは、前記第１の変調ＴＢＳインデックステーブルと同じサイズである、請求項１７記載の方法。
【請求項２１】
前記第１の変調ＴＢＳインデックステーブルは、デフォルト変調ＴＢＳインデックステーブルであり、
前記第２の変調ＴＢＳインデックステーブルは、セカンダリ変調ＴＢＳインデックステーブルである、請求項１７乃至２０何れか一項記載の方法。
【請求項２２】
ページングＲＮＴＩ（Ｐ−ＲＮＴＩ）、ランダムアクセスＲＮＴＩ（ＲＡ−ＲＮＴＩ）又はシステム情報ＲＮＴＩ（ＳＩ−ＲＮＴＩ）の１つによって前記ＣＲＣをスクランブル化することによって、Ｑｍ＝２であることを前記ＵＥに通知することを更に含む、請求項１７乃至２０何れか一項記載の方法。
【発明の詳細な説明】
【技術分野】
【０００１】
［関連出願］
本出願は、参照することによりその全体がここに援用される、整理番号Ｐ６３３５９Ｚにより２０１４年１月６日に出願された米国仮出願第６１／９２４，１９４号の３５  Ｕ．Ｓ．Ｃ．１１９（ｅ）の効果を主張する。本出願はまた、整理番号Ｐ６３９５０Ｚにより２０１４年２月２４日に出願された米国仮出願第６１／９４３，９７３号及び整理番号Ｐ６７６９３Ｚにより２０１４年５月８日に出願された米国仮出願第６１／９９０，６２８号の３５  Ｕ．Ｓ．Ｃ．１１９（ｅ）の効果を主張する。
［技術分野］
本発明は、モバイルネットワークにおける通信のための変調符号化方式を選択及び設定することに関する。
【図面の簡単な説明】
【０００２】
【図１】図１は、無線通信のための一例となるシステムを示す概略図である。
【図２】図２は、ユーザ装置（ＵＥ）の一例となるコンポーネントの概略的なブロック図である。
【図３】図３は、基地局の一例となるコンポーネントの概略的なブロック図である。
【図４】図４は、各種変調方式の尤度比の対数を示すグラフである。
【図５】図５は、チャネル品質インジケータを決定及び報告するための方法を示す概略的なフローチャート図である。
【図６】図６は、無線通信の変調符号化方式を決定及び報告するための方法を示す概略的なフローチャート図である。
【図７】図７は、ダウンリンク通信を受信するための変調符号化方式を決定するための方法を示す概略的なフローチャート図である。
【図８】図８は、変調符号化方式を設定するための方法を示す概略的なフローチャート図である。
【図９】図９は、変調符号化方式を設定するための他の方法を示す概略的なフローチャート図である。
【図１０】図１０は、一例による無線装置（ＵＥなど）の図を示す。
【発明を実施するための形態】
【０００３】
本開示の実施例に整合したシステム及び方法の詳細な説明が以下に提供される。複数の実施例が説明されるが、本開示は何れか１つの実施例に限定されず、代わりに多数の代替、修正及び均等を含むことが理解されるべきである。さらに、多数の特定の詳細がここに開示される実施例の完全な理解を提供するため、以下の説明において提供されるが、一部の実施例はこれらの詳細の一部又は全てなく実施されうる。さらに、簡単化のため、関連技術において知られている特定の技術的題材は、本開示を不必要に不明瞭にすることを回避するため説明されていない。
【０００４】
無線モバイル通信技術は、各種規格及びプロトコルを利用してノード（例えば、送信局又は送受信ノード）と無線装置（例えば、モバイル通信装置）との間でデータを送信する。一部の無線装置は、ダウンリンク（ＤＬ）送信において直交周波数分割多重接続（ＯＦＤＭＡ）を利用し、アップリンク（ＵＬ）送信においてシングルキャリア周波数分割多重接続（ＳＣ−ＦＤＭＡ）を利用して通信する。信号送信のため直交周波数分割多重（ＯＦＤＭ）を利用する規格及びプロトコルは、第三世代パートナーシッププロジェクト（３ＧＰＰ）ロングタームエボリューション（ＬＴＥ）Ｒｅｌ．８，９及び１０、ＷｉＭＡＸ（Ｗｏｒｌｄｗｉｄｅ  ｉｎｔｅｒｏｐｅｒａｂｉｌｉｔｙ  ｆｏｒ  Ｍｉｃｒｏｗａｖｅ  Ａｃｃｅｓｓ）として産業グループに一般に知られるＩＥＥＥ（ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６規格、及びＷｉＦｉとして産業グループに一般に知られるＩＥＥＥ８０２．１１−２０１２規格を含む。
【０００５】
３ＧＰＰの無線アクセスネットワーク（ＲＡＮ）ＬＴＥシステムでは、ノードは、ユーザ装置（ＵＥ）として知られる無線装置と通信するＥ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）Ｎｏｄｅ  Ｂ（ｅｖｏｌｖｅｄ  Ｎｏｄｅ  Ｂ、ｅｎｈａｎｃｅｄ  Ｎｏｄｅ  Ｂ、ｅＮｏｄｅＢ又はｅＮＢとして一般に表記される）の組み合わせであってもよい。ダウンリンク（ＤＬ）送信はノード（ｅＮＢなど）から無線装置（ＵＥなど）への通信であってもよく、アップリンク（ＵＬ）送信は無線装置からノードへの通信であってもよい。
【０００６】
ホモジーニアスネットワークでは、マクロノード又はマクロセルとも呼ばれるノードは、セルにおける無線装置に基本的な無線カバレッジを提供しうる。セルは、無線装置がマクロノードと通信するため動作可能なエリアであってもよい。ヘテロジーニアスネットワーク（ＨｅｔＮｅｔ）は、無線装置の使用及び機能の増大のため、マクロノードに対するトラフィックロードの増大を処理するのに利用されうる。ＨｅｔＮｅｔは、マクロノードのカバレッジエリア（セル）内で計画性が低いか、又は全く協調することなく配置されうる低電力ノード（スモールセル、スモールｅＮＢ、ミクロｅＮＢ、ピコｅＮＢ、フェムトｅＮＢ又はホームｅＮＢ（ＨｅＮＢ））のレイヤとオーバレイされる計画された高電力マクロノード（マクロｅＮＢ又はマクロセル）のレイヤを含むものであってもよい。低電力ノードは、一般に“スモールセル”、スモールノード又は低電力ノードとして参照されてもよい。
【０００７】
カバレッジ及び／又はロードキャパシティの増加に加えて、あるスモールセル配置においてＵＥにより経験されるノートとの近接性及び好ましいジオメトリは、ダウンリンク送信の上位の変調方式を利用するための可能性を提供する。例えば、３ＧＰＰの現在の変調方式は６４ＱＡＭ（Ｑｕａｄｒａｔｕｒｅ  Ａｍｐｌｉｔｕｄｅ  Ｍｏｄｕｌａｔｉｏｎ）においてピークとなり、近接性及びジオメトリの向上は２５６ＱＡＭを可能にしうる。しかしながら、更なる変調方式のサポートは、いくつかの提案では、２５６ＱＡＭによる変調符号化方式を示すためのダウンリンク制御シグナリングフォーマットの変更と共に、２５６ＱＡＭに対応するリンク品質のチャネル品質インジケータ（ＣＱＩ）を報告するためのアップリンク制御情報（ＵＣＩ）シグナリングフォーマットの変更とを含むものであってもよい。いくつかのケースでは、ダウンリンク及びアップリンク制御情報の対応するフィールドに追加的なビットを加えることによる既存のシグナリングの直接的な拡張は、アップリンク制御メッセージ（例えば、物理アップリンク制御チャネル（ＰＵＣＣＨ））のいくつかのアップリンクカバレッジに対する潜在的に負の影響及び更なるシグナリングオーバヘッドのため望ましくない。
【０００８】
現在、ＬＴＥ規格（３ＧＰＰ  Ｔｅｃｈｎｉｃａｌ  Ｓｐｅｃｉｆｉｃａｔｉｏｎ［ＴＳ］３６．２１３  Ｖ１１．４．０［２０１３−１０］を参照されたい）によると、変調は、ＭＣＳインデックスパラメータ（ＩＭＣＳ）を用いて各トランスポートブロック毎にＤＣＩにおいてサービングセルにより提供される５ビットフィールドに基づきＵＥにおいて導出される。ＵＥは、仕様書（具体的には、３ＧＰＰ  ＴＳ３６．２１３のＴａｂｌｅ  ７．１．７．１−１）に記載されたテーブルに関してＤＣＩにおいて受信されるＩＭＣＳの値を用いて、物理ダウンリンク共有チャネル（ＰＤＳＣＨ）において用いられる変調オーダ（Ｑｍ）及びトランスポートブロックサイズ（ＴＢＳ）を決定する。
【０００９】
チャネル品質インジケータ（ＣＱＩ）は、ダウンリンク送信に最も適したＭＣＳ値を通知するため、ＵＥからｅＮＢに送信される（すなわち、ＵＬにおいて）情報を含む。ＣＱＩは、４ビット値であり、各コードワードに対するＵＥにおける観察された信号対干渉プラスノイズ比（ＳＩＮＲ）に基づく。ＣＱＩの推定は、検出用に用いられる受信機のタイプ及びアンテナ数などのＵＥ能力を考慮する。ＣＱＩ値は、ダウンリンク送信のＭＣＳ選択（リンクアダプテーション）のためｅＮＢにより利用される。ＣＱＩインデックスのＣＱＩ定義及び解釈は、３ＧＰＰ  ＴＳ３６．２１３のＴａｂｌｅ  ７．２．３−１に提供される。時間及び周波数における無制限の観察間隔に基づき、ＵＥは、アップリンクサブフレームｎにおいて報告される各ＣＱＩ値に対して、チャネル品質条件を充足するＴａｂｌｅ  ７．２．３−１における１〜１５の最も高いＣＱＩインデックスを導出し、ＣＱＩインデックス１が条件を充足しない場合、ＣＱＩインデックス０を導出する。具体的には、チャネル品質条件は、ＣＱＩインデックスに対応し、ＣＳＩリファレンスリソースと呼ばれるダウンリンク物理リソースブロックのグループを占有する変調方式及びトランスポートブロックサイズの組み合わせによる１つのＰＤＳＣＨトランスポートブロックが、０．１を超えないトランスポートブロックエラー確率により受信可能であるということである。
【００１０】
上記に基づいて本開示を鑑み、２５６ＱＡＭに対応する追加的な各エントリによる既存のＭＣＳ及びＣＱＩテーブルの直接的な拡張は、ＩＭＣＳ及びＣＱＩパラメータのそれぞれのための追加的なビットを必要とすることが理解できる。しかしながら、この変更は、ダウンリンク及びアップリンク制御シグナリングフォーマットの変更を必要とする。本開示では、アップリンク及びダウンリンク制御シグナリングフォーマットを変更することを必要とすることなく、ダウンリンク及びアップリンク制御チャネルにおいて２５６ＱＡＭシグナリングを設定するための各種方法を提案する。一実施例では、ＩＭＣＳ及びＣＱＩを通知するため用いられるテーブルのサイズは、新たなＤＣＩフォーマット及びＣＱＩ報告を定義する必要がないように維持される。
【００１１】
一実施例では、ＵＥは、テーブルコンポーネント、テーブル選択コンポーネント及び通信コンポーネントを含む。テーブルコンポーネントは、複数の利用可能な変調方式のためのエントリを各テーブルが有する２つ以上のテーブルを維持するよう構成される。２つ以上のテーブルは、デフォルトテーブル及びセカンダリテーブルを含む。デフォルトテーブル及びセカンダリテーブルは一致する個数のエントリを有し、セカンダリテーブルは２５６ＱＡＭ方式に対応するエントリを有する。テーブル選択コンポーネントは、デフォルトテーブル及びセカンダリテーブルの一方から選択されるテーブルを選択するよう構成される。通信コンポーネントは、選択されたテーブルの変調符号化方式に基づきｅＮＢから通信を受信及び処理するよう構成される。いくつかの実施例では、本開示は、ＵＥ又はｅＮＢがダウンリンク及びアップリンク制御チャネルのシグナリングフォーマットにおける変更なく（すなわち、新たなＤＣＩ及びＵＣＩフォーマットなく）、変調方式の全範囲（ＱＰＳＫから２５６ＱＡＭまで）をサポートすることを可能にする。
【００１２】
ここで用いられる“ノード”及び“セル”という用語は共に、同義的であることを意図し、ｅＮＢ、低電力ノード又は他の基地局などの複数のユーザ装置と通信するよう動作可能な無線送信ポイントを参照する。
【００１３】
図１は、ＲＡＮにおけるノードを示す概略図である。ＲＡＮは、マクロセルカバレッジエリア１０４内で無線通信サービスを提供するｅＮＢ１０２を含む。マクロセルカバレッジエリア１０４内には、マクロセルがスモールセル１０６，１０８にオフロードすることを可能にすることによって高利用エリアにおけるキャパシティを向上させるのに利用可能な２つのスモールセル１０６，１０８がある。他のスモールセル１１０は、カバレッジエリア１０４のエッジに存在するよう示される。スモールセル１０６，１０８及び１１０は、図１に示されるように、マクロセルカバレッジエリア１０４の間の境界の端にあって、マクロセルカバレッジエリア１０４内のカバレッジホールを充填するのに利用可能なスモールセルカバレッジエリア１１４におけるカバレッジを提供する。ｅＮＢ１０２及びスモールセルは、１つ以上のＵＥ１１２に通信サービスを提供する。一実施例では、ｅＮＢ１０２及びスモールセル１０６，１０８及び１１０は、矢印１１６によって示されるように、通信、ハンドオーバ及び他の通信サービスを連携させる。
【００１４】
３つのスモールセル１０６，１０８，１１０がｅＮＢ１０２のマクロセルカバレッジエリア内に示されているが、マクロセルのカバレッジエリアは、数百のスモールセルを含むものであってもよい。例えば、ＨｅＮＢとして構成されるスモールノードは、単一のマクロノードのカバレッジエリア内にある数百のホームに配置されてもよい。同様に、１つのＲＡＮ内には、疎及び密なスモールセル配置の混合があってもよい。一実施例では、スモールセル１０６，１０８，１１０の１つ以上は、マクロノードから独立して配置される。同様に、スモールセルの１つ以上は、マクロノードのカバレッジエリア１０４と重複しないように配置されてもよい。
【００１５】
一実施例によると、マクロセル、スモールセル１０６，１０８及び１１０のｅＮＢ１０２又は他のコントローラは、ＵＥ１１２と通信するのに用いられるＭＣＳを変更するよう構成される。例えば、特定のＵＥ１１２と通信するのに用いられるＭＣＳは、現在のチャネル品質に基づき変更されてもよい。上述されるように、距離の低減及びジオメトリの向上のため、ＵＥ１１２は、マクロセル内よりスモールセル内でより上位の変調方式を用いて通信可能であってもよい。一実施例では、ＵＥ１１２及びｅＮＢ１０２（又は他のＲＮＣ）は、ＭＣＳを選択又は通知するための他のテーブルを維持又は構成する。例えば、ｅＮＢ１０２は、従来のテーブルの代わりに使用される新たなテーブルを設定するメッセージをＵＥ１１２に送信してもよい。新たなテーブルは、従来のテーブルより高いスペクトル効率を有するＭＣＳを有してもよい。ＵＥ１１２は、チャネル品質インジケータを送信し、受信した通信を処理するのに何れのＭＣＳを利用すべきかの通知を解釈するためのテーブルを決定してもよい。更なる詳細な処理及び具体例は、残りの図面に関して説明される。
【００１６】
図２は、ＵＥ１１２の一実施例の概略的なブロック図である。ＵＥ１１２は、テーブルコンポーネント２０２、テーブル選択コンポーネント２０４、通信コンポーネント２０６、ソフトバッファ２０８及びソフトバッファサイズコンポーネント２１０を有する。コンポーネント２０２〜２１０は一例として提供され、必ずしも全てが全実施例に含まれるとは限らない。一部の実施例は、コンポーネント２０２〜２１０の何れか１つ又は２つ以上の何れかの組み合わせを含むものであってもよい。
【００１７】
テーブルコンポーネント２０２は、複数のテーブルを記憶又は維持するよう構成される。一実施例では、テーブルコンポーネント２０２は、変調方式、符号化レート、トランスポートブロックサイズなどを選択及び指示するためのテーブルを維持するよう構成される。一実施例では、テーブルコンポーネント２０２は、同じ目的のため利用される２つの異なるテーブルを維持する。例えば、テーブルコンポーネント２０２は、デフォルトテーブルの代わりに利用可能なデフォルトテーブル及びセカンダリテーブルを記憶してもよい。デフォルトテーブルは、モバイルネットワークを利用するＵＥ１１２が利用可能な通信規格の以前のバージョン又は変調方式に対応してもよい。例えば、複数のタイプ及びバージョンのＵＥ１１２がモバイルネットワークにアクセスするのに利用されてもよく、異なるタイプ及びバージョンが異なるピークデータレート又は変調オーダ能力を有してもよい。一実施例では、所与のセルにおける所与のサブフレームにおいて、１つのテーブルしか利用されない。例えば、所与のサブフレーム内の全てのＰＤＳＣＨは、同じテーブルに基づき解釈されてもよい。
【００１８】
各テーブルは、ＵＥ１１２又はｅＮＢ１０２により利用可能な異なる変調方式のための複数のエントリを有してもよい。一実施例では、各テーブルにおけるエントリの個数は、エントリが互いの代わりに利用可能となるように一致する。一実施例では、セカンダリテーブルにおけるエントリの個数は、デフォルトテーブルにおけるエントリの個数以下である。一実施例では、デフォルトテーブルは任意のアタッチしたＵＥ１１２により利用可能な方式を含み、セカンダリテーブルは、特定のＵＥ１１２のみが利用可能なより上位の変調又は方式を含む。一実施例では、セカンダリテーブルは、デフォルトテーブルにおける方式の何れよりも上位の変調を有する変調方式を含む。例えば、デフォルトテーブルにおける最大変調オーダは６４ＱＡＭであり、セカンダリテーブルにおける最も上位の変調は２５６ＱＡＭであってもよい。
【００１９】
一実施例では、テーブルコンポーネント２０２は、変調符号化方式インデックスＩＭＣＳテーブルを記憶又は維持する。ＩＭＣＳテーブルは、ＭＣＳインデックスに基づき変調オーダ及びトランスポートブロックサイズを選択するため利用されるテーブルを含むものであってもよい。ＩＭＣＳテーブルの一例は、以下に複製される３ＧＰＰ  ＴＳ３６．２１３に定義されるＰＤＳＣＨ（Ｔａｂｌｅ  ７．１．７．１−１）の変調及びＴＢＳインデックステーブルを含む。
【００２０】
【表１】
2018152856.tif 000003
一実施例では、テーブル１はデフォルト又はレガシーテーブルとして利用され、新たなテーブルがエンハンスト又はセカンダリテーブルとして利用される。テーブル１の使用は、現在の規格により動作する既存のＵＥ１１２に後方互換性を提供しうる。一実施例では、セカンダリテーブルは、新たなＵＥ１１２及び以降のリリースにより利用可能な変調方式を提供するのに利用される。一実施例では、セカンダリテーブルは、２５６ＱＡＭ変調オーダ（Ｑｍ＝８）を含む。一実施例では、デフォルトテーブル及びセカンダリテーブルのそれぞれにおけるエントリの総数は、５ビットフィールドにＩＭＣＳを利用した通知を収容するため３２を超過しない。
【００２１】
一実施例では、複数のセカンダリテーブルが指定又は維持される。例えば、セカンダリテーブルの何れか１つはセカンダリ（又は新たな）テーブルの候補であってもよい。一実施例では、サービングセルからの無線リソース制御（ＲＲＣ）メッセージは、複数のセカンダリテーブルからの何れのテーブルがセカンダリテーブルとして利用されるべきか示す。一実施例では、セカンダリテーブルの１つはデフォルトセカンダリテーブルとして定義される。ＵＥ１１２は、サービングセル又はｅＮＢ１０２が指定しない場合、デフォルトセカンダリテーブルをセカンダリテーブルとして利用してもよい。
【００２２】
一実施例では、セカンダリテーブルは、異なるコンフィギュレーションのため交換されるエントリ（ローなど）の１つ以上によるテーブル１と同様のテーブルを有する。一実施例では、デフォルトテーブルは、第１の変調オーダに対応する第１のエントリと、第１の変調オーダより上位であって、同じスペクトル効率を有する第２の変調オーダに対応する第２のエントリとを有する。一実施例では、セカンダリテーブルは、第１のエントリ及び第２のエントリの一方の代わりに２５６ＱＡＭ方式を含む。例えば、テーブル１におけるＩＭＣＳ値１０，１７に対応するローは、セカンダリテーブルにおいて２５６ＱＡＭ変調オーダ（Ｑｍ＝８）と交換されてもよい。１０，１７の値は、９，１６のＩＭＣＳ値と同じスペクトル効率を有するため対象とされてもよい。具体的には、テーブル１において、同じスペクトル効率の２つのエントリが定義され、これは、一方はチャネルの周波数／時間選択性に依存して他方より良好に機能するためであることに留意されたい。例えば、９，１０のＩＭＣＳ値は同じスペクトル効率を有し、１６，１７のＩＭＣＳ値は同じスペクトル効率を有するが、ＩＭＣＳ＝９はより低い周波数選択性のチャネルにおいてＩＭＣＳ＝１０より良好に機能し、ＩＭＣＳ＝１０はより高い周波数選択性のチャネルにおいてＩＭＣＳ＝９より良好に機能する。しかしながら、一実施例では、セカンダリテーブルのメインターゲットは、より低い時間／周波数選択性のチャネルを経験するＵＥ１１２にサービスを提供することである。本実施例では、ＱＰＳＫ、１６ＱＡＭ及び６４ＱＡＭに割り当てられたより少ないエントリしか有さないパフォーマンスインパクトを最小限にしながら、より多くのエントリを２５６ＱＡＭエントリに利用可能にするため、１０，１７のＩＭＣＳ値のエントリを置換できる。テーブル２は、セカンダリＩＭＣＳテーブルの一実施例を示す。
【００２３】
【表２】
2018152856.tif 000004
一実施例では、デフォルトテーブル及びセカンダリテーブルのそれぞれはＣＱＩテーブルを含む。ＣＱＩテーブルは、ＣＱＩインデックスに基づきＵＥ１１２に好ましい変調及び符号化レートを示すのに用いられるテーブルを含むものであってもよい。ＣＱＩテーブルの一例は、以下のテーブル３に複製される３ＧＰＰ  ＴＳ３６．２１３に定義されるＴａｂｌｅ  ７．２．３−１を含む。
【００２４】
【表３】
2018152856.tif 000005
ＩＭＣＳテーブルに関して上述された具体例又は原理の何れかが、チャネル状態情報の報告のためＣＱＩテーブルに関して利用されてもよい。例えば、２５６ＱＡＭをサポートするＵＥ１１２は２つのＣＱＩマッピングテーブルにより設定されてもよく、ここで、２つのテーブルにおけるエントリの一部は異なり、少なくとも１つのテーブルは２５６ＱＡＭ変調オーダに対応するＣＱＩ値を有するべきである。設定された各テーブルにおけるエントリの総数は、４ビットＣＱＩレポートの最大長を収容するため１６を超えないようにしてもよい。所与のＣＱＩレポートについて、１つのＣＱＩテーブルのみが利用される。一実施例では、複数のセカンダリＣＱＩテーブルが指定又は維持される。複数のＩＭＣＳテーブルによる実施例と同様に、ＲＲＣメッセージは、複数のセカンダリＣＱＩテーブルからの何れのテーブルがセカンダリテーブルとして利用されるか示してもよい。さらに、１つのセカンダリＣＱＩテーブルがデフォルトセカンダリＣＱＩテーブルとして指定可能である。ＲＲＣシグナリングが異なるセカンダリＣＱＩテーブルとなるようにセカンダリテーブルを変更しない場合、デフォルトセカンダリＣＱＩテーブルが利用されてもよい。セカンダリＣＱＩテーブルの一実施例がテーブル４において以下に示される。
【００２５】
【表４】
2018152856.tif 000006
一実施例では、テーブルコンポーネント２０２は、ＩＭＣＳテーブルとＣＱＩテーブルとの双方についてデフォルトテーブルとセカンダリテーブルとを維持する。例えば、テーブルコンポーネント２０２は、デフォルトＩＭＣＳテーブルの代わりに選択的に利用可能なセカンダリＩＭＣＳテーブルを記憶し、デフォルトＣＱＩテーブルの代わりに利用可能なセカンダリＣＱＩテーブルを記憶してもよい。
【００２６】
テーブルコンポーネント２０２は、所定のテーブルを含むテーブルを記憶してもよい。例えば、デフォルトテーブル及びセカンダリテーブルは、ＬＴＥのリリースなどの対応する規格内で定義されてもよい。テーブルコンポーネント２０２は、サービスセル及びＵＥ１１２が何れのテーブルが利用可能であるか知っているようにテーブルを記憶し、何れのテーブルが利用のために必要とされているか設定するための最小限のシグナリングを利用可能である。一実施例では、テーブルコンポーネント２０２は、デフォルトテーブル及びセカンダリテーブルの１つ以上を設定するためのメッセージングを受信することによって、テーブルを維持する。例えば、ＵＥ１１２又はテーブルコンポーネント２０２は、セカンダリテーブル又はデフォルトテーブルの少なくとも一部を定義するテーブルコンフィギュレーションメッセージをスモールセルなどの基地局から受信してもよい。当該コンフィギュレーションメッセージは、ＵＥ１１２が上位の変調を用いて通信することを可能にする少なくとも１つのエントリの上位の変調方式を通知するものであってもよい。一実施例では、コンフィギュレーションメッセージは、デフォルトテーブルに対してセカンダリテーブルにおいて変更される１つ以上のエントリを通知する。例えば、セカンダリテーブルは、セカンダリテーブルの一部のエントリがデフォルトテーブルの対応するエントリと異なることを除き、デフォルトテーブルと同じであってもよい。テーブルコンポーネント２０２は、テーブルコンフィギュレーションメッセージに基づき何れかのテーブルを修正することによってテーブルを維持してもよい。
【００２７】
一実施例では、２つのＩＭＣＳテーブルが仕様書においてハードコード化され、ここで、第１のテーブルはＱＰＳＫ、１６ＱＡＭ及び６４ＱＡＭ変調のエントリによるＴＳ３６．２１３のＴａｂｌｅ  ７．１．７．１−１と同じであり、第２のテーブルは２５６ＱＡＭ変調のエントリにより取り除かれた第１のテーブルにおけるＱＰＳＫ変調（又は他の変調）に対応する１つ以上のエントリをその位置に有する。他の実施例では、２つのＩＭＣＳテーブルはＲＲＣシグナリング（例えば、ビットマップを利用することによって）によって設定され、ここで、各テーブルのエントリは明示的に設定される（例えば、ビットマップにおける各要素はテーブルの所与のエントリのアクティブ化されたＭＣＳ及びＴＢＳを示す）。他の実施例では、２つのＩＭＣＳテーブルが仕様書にハードコード化され、ｅＮＢ１０２は、必要に応じてＭＡＣ（Ｍｅｄｉｕｍ  Ａｃｃｅｓｓ  Ｃｏｎｔｒｏｌ）又はＲＲＣシグナリングを介し第１及び第２のＩＭＣＳテーブルの少なくとも１つを再設定可能である。
【００２８】
同様に、２つのＣＱＩテーブルがまた仕様書にハードコード化されてもよく、第１のテーブルはＱＰＳＫ、１６ＱＡＭ及び６４ＱＡＭ変調のエントリによるＴＳ３６．２１３のＴａｂｌｅ  ７．１．７．１−１と同じであり、第２のテーブルは２５６ＱＡＭ変調のエントリにより取り除かれた第１のテーブルにおけるＱＰＳＫ変調（又は他の変調）に対応する１つ以上のエントリをその位置に有する。他の実施例では、２つのＣＱＩテーブルがＲＲＣシグナリング（例えば、ビットマップを利用することによって）によって設定され、ここで、各テーブルのエントリが明示的に設定される（例えば、ビットマップにおける各要素は所与のテーブルについてアクティブ化されたＭＣＳ及びＴＢＳを示す）。他の実施例では、２つのＣＱＩテーブルが仕様書においてハードコード化され、ｅＮＢ１０２は、必要に応じてＭＡＣ／ＲＲＣシグナリングを介し第１及び第２のＣＱＩテーブルの少なくとも一方を再設定可能である。
【００２９】
テーブル選択コンポーネント２０４は、特定の通信についてデフォルトテーブルとセカンダリテーブルの何れを使用すべきか選択するよう構成される。例えば、テーブル選択コンポーネント２０４は、デフォルトテーブルとセカンダリテーブルとから選択されるテーブルを決定するよう構成される。一実施例では、テーブル選択コンポーネント２０４は、デフォルトＩＭＣＳテーブルとセカンダリＩＭＣＳテーブルとの一方を選択し、テーブル選択コンポーネント２０４はまた、デフォルトＣＱＩテーブルとセカンダリＣＱＩテーブルとの一方を選択する。
【００３０】
一実施例では、テーブル選択コンポーネント２０４は、ＵＥ１１２が物理ダウンリンク制御チャネル（ＰＤＣＣＨ）又はエンハンスト物理ダウンリンク制御チャネル（ＥＰＤＣＣＨ）通信においてダウンリンク制御情報（ＤＣＩ）を受信したことに応答して、選択されるテーブルを選択するよう構成される。例えば、テーブル選択コンポーネント２０４は、スケジューリングされたレイヤの数、巡回冗長チェック（ＣＲＣ）をスクランブル化するため用いられるＲＮＴＩ（Ｒａｄｉｏ  Ｎｅｔｗｏｒｋ  Ｔｅｍｐｏｒａｒｙ  Ｉｄｅｎｔｉｆｉｅｒ）、又は何れのテーブルを使用するか示すためのＤＣＩにおける余剰ビットの１つ以上に基づき、デフォルトテーブルとセカンダリテーブルとの１つを選択してもよい。
【００３１】
一実施例では、テーブル選択コンポーネント２０４は、スケジューリングされたレイヤの数に基づきテーブルを選択するよう構成される。例えば、テーブル選択コンポーネント２０４は、通信のためスケジューリングされたレイヤの数がレイヤ閾値を超えるか判断してもよい。ＤＣＩにより示されるようなスケジューリングされたレイヤの数がレイヤ閾値を充足又は超過する場合、テーブル選択コンポーネント２０４は、セカンダリテーブルを選択してもよい。他方、スケジューリングされたレイヤの数がレイヤ閾値を充足又は超過しない場合、テーブル選択コンポーネント２０４は、デフォルトテーブルを選択してもよい。
【００３２】
一実施例では、ＤＣＩベースシグナリングは、テーブルをスイッチするのに利用され、テーブルは、ＤＣＩにおいて通知されたＰＤＳＣＨのスケジューリングされた例他の総数に従って暗黙的に選択される。例えば、レイヤの総数が特定の閾値より大きい（又は少ない）場合、２５６ＱＡＭのエントリによるセカンダリテーブルは全てのトランスポートブロック（又はコードワード）について利用されてもよい。そうでない場合、２５６ＱＡＭのエントリを有さない第１のＭＣＳ／ＴＢＳテーブルは全てのトランスポートブロック（又はコードワード）について利用されてもよい。レイヤの総数の閾値は、ＲＲＣにより設定可能であり、又は所与のＵＥにスケジューリング可能な最大レイヤ数に対応可能であり（すなわち、２５６ＱＡＭテーブルは、最大レイヤ数がスケジューリングされるときに限って利用される）、又は、２５６ＱＡＭを有さないテーブルは単一レイヤ送信のため利用されない。具体例では、テーブルは、所与のコードワードの送信に割り当てられたレイヤ数に従って各コードワード毎に選択される。コードワード送信に利用されるレイヤの総数が特定の閾値（例えば、ＲＲＣ設定されるか、又はＵＥについて可能な最大値）より多い（又は少ない）場合、２５６ＱＡＭ変調に対応するエントリによるセカンダリテーブルが利用され、そうでない場合、２５６ＱＡＭエントリを有さないデフォルト又はレガシーテーブルが利用される。いくつかのケースでは、送信がトランスポートブロックのＨＡＲＱ（Ｈｙｂｒｉｄ  Ａｕｔｏｍａｔｉｃ  Ｒｅｐｅａｔ  Ｒｅｑｕｅｓｔ）再送に対応する場合、使用されるテーブルは、再送のためスケジューリングされた現在のレイヤの総数に関わらず、当初の送信におけるものと同じであるべきである。本開示は、デフォルトテーブルとセカンダリテーブルとの一方のみが２５６ＱＡＭを含む実施例と共に、デフォルトテーブルとセカンダリテーブルとの双方が２５６ＱＡＭエントリを含む実施例を想起することが留意されるべきである。
【００３３】
一実施例では、テーブル選択コンポーネント２０４は、受信したＤＣＩに対応するＣＲＣをスクランブル化するのに利用されるＲＮＴＩに基づきテーブルを選択するよう構成される。例えば、ＤＣＩに対応するＰＤＣＣＨ／ＥＰＤＣＣＨのＣＲＣは、ＰＤＣＣＨ／ＥＰＤＣＣＨを受信することを意図されたＵＥ１１２のみが情報を処理できるように、ＲＮＴＩを用いてスクランブル化されてもよい。一実施例では、ＵＥ１１２は、ＰＤＣＣＨ／ＥＰＤＣＣＨを受信及び処理した後、何れのＲＮＴＩがＣＲＣをスクランブル化するのに利用されたか判断できる。テーブル選択コンポーネント２０４は、その後、何れのＲＮＴＩが利用されたかに基づきテーブルを選択してもよい。一実施例では、テーブル選択コンポーネント２０４は、ＵＥに固有のＲＮＴＩ（例えば、セルＲＮＴＩ又はＣ−ＲＮＴＩ）を有するＲＮＴＩに応答して、セカンダリテーブルを選択するよう構成される。例えば、２５６ＱＡＭが設定される場合、ＵＥは、Ｃ−ＲＮＴＩによりスケジューリングされたＰＤＳＣＨについてのみ２５６ＱＡＭを想定する。一実施例では、ＵＥ１１２がページングＲＮＴＩ（Ｐ−ＲＮＴＩ）、ランダムアクセスＲＮＴＩ（ＲＡ−ＲＮＴＩ）、セミパーシスタンススケジューリングＲＮＴＩ（ＳＰＳ−ＲＮＴＩ）又はシステム情報ＲＮＴＩ（ＳＩ−ＲＮＴＩ）によりスクランブル化されたＤＣＩを受信した場合、テーブル選択コンポーネント２０４は、２５６ＱＡＭコンフィギュレーションに関わらず、デフォルト又はレガシーテーブルが使用されるべきであると想定してもよい。一実施例では、テーブル選択コンポーネント２０４は、ＲＮＴＩが上位の変調ＲＮＴＩ（ＨＯＭ−ＲＮＴＩ）を有するとき、セカンダリテーブルを選択するよう構成される。例えば、ＤＣＩ  ＣＲＣは、新たなＲＮＴＩ（例えば、上位の変調ＲＮＴＩ（ＨＭＯ−ＲＮＴＩ））によってスクランブル化されてもよい。ＨＭＯ−ＲＮＴＩが使用されない場合、２５６ＱＡＭエントリを有さないデフォルト／レガシーテーブルが使用されてもよい。
【００３４】
一実施例では、ＤＣＩは、テーブル選択のため具体的に指定された余剰ビットを含む。例えば、５ビットのＩＭＣＳ値に加えて、ＤＣＩは、デフォルトテーブルとセカンダリテーブルとの何れを使用すべきか選択するための追加的なＸビット（例えば、１ビット）値を有してもよい。当該追加的なＸビットがＵＥに固有の検索スペース（ＵＳＳ）のみについてＤＣＩコンテンツに含まれる場合、それは、リコンフィギュレーションのハンドリングを提供可能である。例えば、ＤＣＩのための共通の検索スペース（ＣＳＳ）はリコンフィギュレーションを処理するのに利用され、ＤＣＩのＵＳＳはレガシー及び進化型の１つを選択するのに利用される。この場合、ＣＳＳにおけるＸビット値は、デフォルト又はレガシーテーブルを参照する。ＵＳＳのためのＤＣＩにおける１ビットインジケータ（例えば、Ｘ＝１であるとき）は、何れのテーブルが使用されるか表すものであってもよい。例えば、０のビット値はデフォルトテーブルを使用することを示し、１のビット値は進化型又はセカンダリテーブルを使用することを示す（その反対も可能である）。ＤＣＩに余剰ビットを含める１つの効果は、ＵＥがＵＳＳにおける既存のＭＣＳビット（例えば、５ビット）を完全に利用することによって、２５６ＱＡＭをサポートするためのフル自由度を利用することを可能にする。
【００３５】
一実施例では、２５６ＱＡＭをサポートするＵＥ１１２又は上位レイヤシグナリングによる２５６ＱＡＭにより設定されたＵＥ１１２は、２５６ＱＡＭをサポートしないセカンダリテーブル又は２５６ＱＡＭをサポートしないデフォルトテーブルを有する。セカンダリテーブルは、レガシー又はデフォルトテーブルのエントリ数より多いエントリ数を有してもよい。例えば、デフォルトテーブルは、何れかのエントリを選択するため４ビット値の使用しか必要としないエントリ数を有し、セカンダリテーブルは、４ビット値より多く必要とするエントリ数を含むものであってもよい。一実施例では、デフォルトテーブル（例えば、ＤＣＩにおける４ビット値による）のみがＣＳＳを介したスケジューリングのため利用可能であり、セカンダリテーブル（すなわち、Ｘ＝４又はＸ＝５などのＤＣＩにおけるＸビット値による進化型／エンハンストテーブル）はＵＳＳを介したスケジューリングのためにのみ利用可能である。本実施例の１つの効果は、２５６ＱＡＭをサポートするためＩＭＣＳ又はＣＱＩテーブルのビット数に対する制限を有しないことによって、２５６ＱＡＭをサポートするためのフル自由度を利用可能である。
【００３６】
一実施例では、テーブル選択コンポーネント２０４は、ＵＥ１１２が選択されたテーブルを示すＲＲＣレイヤメッセージ又はＭＡＣレイヤメッセージの１つ以上を受信することに応答して、選択されるテーブルを選択するよう構成される。例えば、上位レイヤメッセージは、デフォルトテーブル又はセカンダリテーブルの何れがＰＤＳＣＨ通信に利用されるべきかに関する明示的な通知を含むものであってもよい。一実施例では、ＲＲＣレイヤメッセージは、何れのテーブルが使用されるべきか示す値を有してもよい。
【００３７】
テーブル選択コンポーネント２０４は、ＩＭＣＳテーブル選択又はＣＱＩテーブル選択のための上記方法の何れかを利用してもよい。あるいは、又はさらに、テーブル選択コンポーネント２０４は、ランクインジケータ（ＲＩ）に基づきＣＱＩテーブルを選択してもよい。例えば、ＵＥ１１２は、サービングセルに報告するための現在のチャネル品質に基づきＲＩを決定してもよい。ＵＥ１１２（及び／又はｅＮＢ１１２）は、ＲＩが特定のＲＩ閾値（例えば、ＲＲＣにより設定されるか、又は可能な報告されるＲＩ最大値）を上回る（又は下回る）か否かに基づき何れのテーブルを使用するか決定してもよい。例えば、ＲＩが閾値を充足する場合、２５６ＱＡＭに対応する変調エントリを有するテーブルが使用されるべきである。同様に、ＲＩが閾値を充足しない場合、デフォルト又はレガシーテーブルが、ＣＱＩ報告のためＵＥ１１２により使用されるべきである。一実施例では、デフォルト又はレガシーＣＱＩテーブルは、ＲＩ＝１である場合に限って使用される。一実施例では、ＲＩ閾値は、ＲＲＣ又はＭＡＣレイヤシグナリングを介し設定される。
【００３８】
一実施例では、ＵＥ１１２のハンドオフ後（すなわち、現在のサービングセルから他のセルへのＵＥ１１２のサービングセルの変更）、ＲＲＣ／ＭＡＣシグナリングがセカンダリテーブルがハンドオフ後に使用されることを通知しない場合、デフォルト又はレガシーＣＱＩテーブルが利用される。
【００３９】
通信コンポーネント２０６は、ＵＥ１１２とサービングセルとの間で情報を通信するよう構成される。一実施例では、ＵＥ１１２は、ｅＮＢ１０２からＰＤＣＣＨ／ＥＰＤＣＣＨ及びＰＤＳＣＨ通信を受信し、ＵＥ１１２の情報を処理及び解釈するよう構成される。一実施例では、通信コンポーネント２０６は、選択されたテーブルのＭＣＳに基づきＰＤＳＣＨを受信及び処理する。例えば、通信コンポーネント２０６は、ＰＤＳＣＨコンポーネントを処理するのに使用するテーブルにおける特定のエントリを示すＩＭＣＳ値を受信してもよい。通信コンポーネント２０６は、特定のＰＤＳＣＨのＭＣＳを決定するため、テーブル選択コンポーネント２０４により選択されるテーブルにおける特定のエントリを参照してもよい。その後、ＵＥ１１２は、ＰＤＳＣＨを復号化し、必要に応じて情報を使用又は転送してもよい。
【００４０】
ソフトバッファ２０８は、受信した符号化されたビットの記憶のためのメモリを有してもよい。一実施例では、ソフトバッファ２０８は、少なくとも２５６ＱＡＭピークデータレートを扱うのに十分なサイズを有する。例えば、ＬＴＥはＩｎｃｒｅｍｅｎｔａｌ  Ｒｅｄｕｎｄａｎｃｙ  ＨＡＲＱを利用する。例えば、ＵＥ１１２は、通常は受信した符号化ビットをソフトバッファ２０８に記憶する。再送中、ＵＥは、受信した符号化されたデータの精度の信頼性を向上させるため、新たに受信したビットと以前に受信及び記憶したビットとを合成する。一般に、ソフトバッファサイズは、より大きなピークデータレートが一般にピークデータレートがより小さいときより大きなソフトバッファサイズを必要とする点でピークデータレートに依存する。従って、２５６ＱＡＭの導入によって、ピークデータレートは増加し、ソフトバッファサイズもまた増加する必要がある。従って、ＵＥ１１２は、他の従来のＵＥ１１２（例えば、ＬＴＥの以前のリリースからのＵＥ）より大きなサイズを有するソフトバッファ２０８を有してもよい。従って、一実施例では、ソフトバッファ２０８は、少なくとも２５６ＱＡＭピークデータレートを扱うのに十分なサイズを有する。
【００４１】
ソフトバッファサイズコンポーネント２１０は、特定の通信に利用されるべきソフトバッファ２０８の大きさを決定するよう構成される。例えば、ＵＥ１１２、ｅＮＢ１０２又はスモールセルのいくつかは、ＬＴＥのリリース８，１０などの以前にリリースに対応してもよい。さらに、符号化されたビットが送信準備のため記憶されるｅＮＢ１０２におけるソフトバッファサイズの間に不一致がある場合、ＵＥ１１２は、パケットを適切に復号化することができないであろう。ＵＥ１１２はサービングセルのリリースを決定することが現在できないため、ＵＥ１１２は、何れのサイズのソフトバッファがビットを準備及び送信するのに使用されるか知らない。不一致がないことを保証するため、ソフトバッファサイズコンポーネント２１０は、データ受信及びＨＡＲＱのために利用されるべきソフトバッファのサイズを決定してもよい。一実施例では、ソフトバッファサイズコンポーネント２１０は、後方互換性のため従来のソフトバッファサイズ（例えば、以前の３ＧＰＰリリースのソフトバッファサイズ）に対応するソフトバッファ２０８の一部をときどき利用してもよい。
【００４２】
一実施例では、ソフトバッファサイズコンポーネント２１０は、ｅＮＢ１０２（又は他のサービングセル）からの通知が増加したソフトバッファサイズに対応する能力を示すまで、デフォルトソフトバッファサイズを使用するよう構成される。例えば、ソフトバッファ２０８は最大ソフトバッファサイズを有してもよく、ソフトバッファサイズコンポーネント２１０は最大ソフトバッファサイズ未満のデフォルトソフトバッファサイズを利用してもよい。いい実施例では、サービングセルが２５６ＱＡＭ通信を設定する場合、サービングセルとＵＥ１１２との双方は、最大ソフトバッファサイズを使用することを開始する。一実施例では、ソフトバッファサイズコンポーネント２１０は、増加したソフトバッファサイズをサポートする３ＧＰＰリリースについてそれが設定されているとｅＮＢ１０２が通知したことに応答して、増加したソフトバッファサイズが利用可能であると判断する。当該通知は、リリース又はソフトバッファサイズの直接的又は間接的な通知であってもよい。例えば、ｅＮＢ１０２が選択されたテーブルとして２５６ＱＡＭエントリを含むテーブルを設定する場合、ＵＥ１１２及びｅＮＢ１０２は、その後に増加したソフトバッファサイズを使用し始めてもよい。ｅＮＢ１０２が増加したソフトバッファサイズを可能であるという他の一例となる通知は、ＲＲＣによるセカンダリテーブルのコンフィギュレーション、２５６ＱＡＭ変調方式を示すＩＭＣＳ値などを含むものであってもよい。すなわち、ＵＥ１１２はビットを記憶するためにより大きなソフトバッファサイズを有するが、それは、２５６ＱＡＭが設定されていない場合に以前のＵＥカテゴリに対応するより小さなソフトバッファを使用すべきか、又はサービングセルは、それが増加したソフトバッファサイズを可能であると通知する。一実施例では、ＵＥ１１２及びｅＮＢ１０２の双方によってサポートされている場合、より大きなソフトバッファサイズを使用することは、下位の変調が使用されたとしても、パフォーマンスを増加させることが可能である。
【００４３】
２５６ＱＡＭをサポートするため、より大きなソフトバッファサイズが、２５６ＱＡＭによるＭＣＳが使用（又は有効化）されるとき、増加したピークデータレートを収容するためＵＥ１１２によりサポートされる必要がある。現在、ＵＥ１１２においてサポートされるソフトバッファサイズは、３ＧＰＰ  ＴＳ３６．３０６及び３ＧＰＰ  ＴＳ３６．３３１において定義されるようなＲＲＣシグナリングを利用して、Ｒｅｌ−８及びＲｅｌ−１０のｕｅＣａｔｅｇｏｒｙメッセージ（ｕｅ−Ｃａｔｅｇｏｒｙ及びｕｅ−Ｃａｔｅｇｏｒｙ−ｖ１０２０）により提供される。一実施例によると、増加したソフトチャネルビットの総数による追加的なＵＥ１１２のカテゴリは、２５６ＱＡＭに対応可能なＵＥ１１２について定義される。このとき、２５６ＱＡＭに対応可能なＵＥ１１２は、以前のリリース（Ｒｅｌ−８／９／１０／１１）のｅＮＢとの後方互換性をサポートするため、Ｒｅｌ−８／１０のＵＥカテゴリの先頭で新たなＵＥカテゴリ（ｕｅ−Ｃａｔｅｇｏｒｙ−ｖ１２ｘ）を報告することが要求される。一実施例によると、ＵＥ１１２は、２５６ＱＡＭテーブルのサポートを通知する特別なシグナリングがサービングｅＮＢ１０２により提供されない場合、デフォルトで従来（Ｒｅｌ８／１０）のＵＥカテゴリのソフトチャネルビットの総数を利用する。一実施例によると、３ＧＰＰ仕様書の３ＧＰＰ  ＴＳ３６．２１２は、以下のように読むよう改訂されてもよい。
【００４４】
ＵＥがｕｅ−Ｃａｔｅｇｏｒｙ−ｖ１２ｘを通知し、ＤＬセルについて２５６ＱＡＭ  ＭＣＳ／ＴＢＳテーブルにより設定されている場合、Ｎｓｏｆｔは、ｕｅ−Ｃａｔｅｇｏｒｙ−ｖ１２ｘにより通知されたＵＥカテゴリによるソフトチャネルビットの総数である［ＴＳ  ３６．３０６］。ＵＥがｕｅ−Ｃａｔｅｇｏｒｙ−ｖ１０２０を通知し、ＤＬセルについて送信モード９又は送信モード１０により設定される場合、Ｎｓｏｆｔは、ｕｅ−Ｃａｔｅｇｏｒｙ−ｖ１０２０［ＴＳ３６．３３１］により通知されるＵＥカテゴリによるソフトチャネルビットの総数である［ＴＳ３６．３０６］。それ以外の場合、Ｎｓｏｆｔは、ｕｅ−Ｃａｔｅｇｏｒｙ［ＴＳ３６．３３１］により通知されるＵＥカテゴリによるソフトチャネルビットの総数である［ＴＳ３６．３０６］。
【００４５】
Ｉｆ  Ｎｓｏｆｔ＝３５９８２７２０，
ＫＣ＝５，
ｅｌｓｅｉｆ  Ｎｓｏｆｔ＝３６５４１４４であり、ＵＥがＤＬセルの最大で２つの空間レイヤしかサポート可能でない場合、
ＫＣ＝２，
ｅｌｓｅ
ＫＣ＝１
Ｅｎｄｉｆ
ＵＥが［３］のｓｅｃｔｉｏｎ  ７．１に定義されるような送信モード３，４，８，９又は１０に基づきＰＤＳＣＨ送信を受信するよう構成される場合、ＫＭＩＭＯは２に等しく、そうでない場合、１に等しい。
【００４６】
一実施例によると、３ＧＰＰ仕様書の３ＧＰＰ  ＴＳ３６．２１３は、以下のように読むよう改訂されてもよい。
【００４７】
ＦＤＤとＴＤＤの双方について、ＵＥが複数のサービングセルにより設定されている場合、各サービングセルに対して、少なくとも
【００４８】
【数１】
2018152856.tif 000007
のトランスポートブロックについて、トランスポートブロックのコードブロックの復号化失敗によって、ＵＥは少なくとも
【００４９】
【数２】
2018152856.tif 000008
の範囲に対応する受信したソフトチャネルを記憶する。
−ｗｋ，Ｃ，Ｎｃｂ，ＫＭＩＭＯ及びＭｌｉｍｉｔは、［４］のクローズ５．１．４．１．２に定義される。
−ＭＤＬ＿ＨＡＲＱは、ＤＬ  ＨＡＲＱプロセスの最大数である。
−ＮｃｅｌｌｓＤＬは、設定されたサービングセルの数である。
【００５０】
ＵＥがｕｅ−Ｃａｔｅｇｏｒｙ−ｖ１２ｘを通知し、Ｎｓｏｆｔ’は、ｕｅ−Ｃａｔｅｇｏｒｙ−ｖ１２ｘ［３６．３０６］により通知されるＵＥカテゴリによるソフトチャネルビットの総数である［３６．３０６］。ＵＥがｕｅ−Ｃａｔｅｇｏｒｙ−ｖ１０２０を通知する場合、Ｎｓｏｆｔ’は、ｕｅ−Ｃａｔｅｇｏｒｙ−ｖ１０２０［３６．３３１］により通知されるＵＥカテゴリによるソフトチャネルビットの総数である［３６．３０６］。それ以外の場合、Ｎｓｏｆｔ’は、ｕｅ−Ｃａｔｅｇｏｒｙ［３６．３３１］により通知されるＵＥカテゴリによるソフトチャネルビットの総数である［３６．３０６］。ｋを決定する際、ＵＥは、より小さなｋの値に対応するソフトチャネルビットを記憶することに優先度を与えるべきである。ｗｋは、受信したソフトチャネルビットに対応する。範囲
【００５１】
【数３】
2018152856.tif 000009
は、受信したソフトチャネルビットを含まないサブセットを有してもよい。
【００５２】
図３は、ｅＮＢ１０２の概略的なブロック図である。ｅＮＢ１０２は、ネットワークテーブルコンフィギュレーションコンポーネント３０２、能力コンポーネント３０４、制御コンポーネント３０６、ＭＣＳ選択コンポーネント３０８及びソフトバッファサイズコンポーネント２１０を有する。コンポーネント３０２〜３０８，２１０は、単なる一例として与えられ、必ずしも全てが全実施例に含まれるとは限らない。一部の実施例は、コンポーネント３０２〜３０８，２１０の何れ１つ又は２つ以上の何れかの組み合わせを含むものであってもよい。一実施例では、コンポーネント３０２〜３０８，２１０は、スモールセルのＲＮＣなどの何れかのサービングセル内に含まれてもよい。
【００５３】
テーブルコンフィギュレーションコンポーネント３０２は、変調方式、符号化レート、トランスポートブロックサイズなどの選択及び通知のための複数のテーブルを維持及び／又は設定するよう構成される。具体的には、テーブルコンフィギュレーションコンポーネント３０２は、ＵＥ１１２のテーブル選択コンポーネント２０４に関連して上述されたデフォルト及びセカンダリテーブルに対する変形の何れかを記憶、設定又は維持してもよい。例えば、テーブルコンフィギュレーションコンポーネント３０２は、上記のテーブル１、テーブル２、テーブル３又はテーブル４の１つ以上を記憶してもよい。一実施例では、テーブルコンフィギュレーションコンポーネント３０２は、セカンダリテーブルを設定するよう構成される。例えば、テーブルコンフィギュレーションコンポーネント３０２は、セカンダリテーブルの１つ以上のエントリを設定するための上述されたテーブルコンフィギュレーションメッセージを生成及び送信してもよい。一実施例では、テーブルコンフィギュレーションコンポーネント３０２はまた、デフォルトテーブル及びセカンダリテーブルの何れが利用されるべきかを決定するよう構成される。テーブルコンフィギュレーションコンポーネント３０２は、ＲＲＣメッセージング、ＤＣＩに対応するＲＮＴＩ若しくはレイヤ数、ＵＥ１１２から受信したＲＩ又はその他の開示された変形の何れかの１つ以上などに基づき、上述した直接的又は間接的通知の何れかに基づき現在の選択されるテーブルを決定してもよい。デフォルトテーブル及びセカンダリテーブル、デフォルトテーブル及びセカンダリテーブルの構成及びデフォルトテーブル及びセカンダリテーブルの選択に関して上述された変形の何れかが、ネットワーク側のテーブルコンフィギュレーションコンポーネント３０２により実行又は決定されてもよい。
【００５４】
能力コンポーネント３０４は、特定のＵＥ１１２が上位の変調方式（例えば、２５６ＱＡＭ）に対応しているか判断するよう構成される。例えば、ｅＮＢ１０２は、スモールセルに配置され、上位の変調に対応し、ＵＥ１１２と通信してもよい。一実施例では、能力コンポーネント３０４は、ＵＥ１１２がＵＥ１１２の３ＧＰＰリリースバージョンに基づき上位の変調方式に対応していると判断してもよい。例えば、ＵＥ１１２が２５６ＱＡＭに対応するリリースバージョンを有する場合、ｅＮＢ１０２は、ＵＥ１１２が２５６ＱＡＭに対応し、ＵＥ１１２がデフォルトテーブル及びセカンダリテーブルを維持及び選択可能であると想定してもよい。
【００５５】
制御コンポーネント３０６は、ダウンリンク通信を設定するための制御情報をＵＥ１１２に送信するよう構成される。例えば、制御コンポーネント３０６は、ＰＤＣＣＨ／ＥＰＤＣＣＨ通信においてＤＣＩをＵＥ１１２に送信してもよい。一実施例では、制御情報は、デフォルトテーブル及びセカンダリテーブルの何れが対応するＰＤＳＣＨ通信に使用されるべきかＵＥに直接的又は間接的に通知する。例えば、図２のテーブル選択コンポーネント２０４に関して上述されたように、制御情報は、ＭＣＳ選択又はＣＱＩのために何れかのテーブルを使用するか決定するためＵＥ１１２が解釈可能なレイヤ数、ＲＮＴＩによりスクランブル化されたＣＲＣ又は他の情報に関する情報を含むものであってもよい。
【００５６】
一実施例では、制御コンポーネント３０６は、ＰＤＳＣＨ通信を受信及び処理するためのＭＣＳを通知するＩＭＣＳなどの値を有する制御情報を送信する。例えば、ＩＭＣＳ値は、選択されたテーブルの何れのエントリがＰＤＳＣＨ通信を復号化及び処理するのに利用されるべきかを通知してもよい。一実施例では、ＩＭＣＳ値は、ＤＣＩに含めるためＩＭＣＳ値を制御コンポーネント３０６に提供するＭＣＳ選択コンポーネント３０８により決定される。
【００５７】
ＭＣＳ選択コンポーネント３０８は、特定の通信に使用するＭＣＳを決定するよう構成される。一実施例では、ＭＣＳ選択コンポーネント３０８は、推奨された変調及び推奨された符号化レートを示すＣＱＩをＵＥ１１２から受信してもよい。ＭＣＳ選択コンポーネント３０８は、何れのＭＣＳがＰＤＳＣＨのために利用されるべきか決定するため、ＵＥ１１２からの推奨を利用してもよい。一実施例では、ＭＣＳ選択コンポーネント３０８は、ＵＥ１１２の推奨を決定するため、ＣＱＩ値に基づき選択されるＣＱＩテーブルを参照する。ＭＣＳ選択コンポーネント３０８は、その後、ＵＥ１１２に通信するため、ＭＣＳ及び対応するＩＭＣＳ値を選択してもよい。例えば、ＭＣＳ選択コンポーネント３０８は、ＵＥ１１２によりＣＱＩ推奨を超えないＭＣＳを選択してもよい。ＭＣＳ選択コンポーネント３０８は、ＵＥ１１２に通信するため、ＩＭＣＳ値を制御コンポーネント３０６に提供してもよい。
【００５８】
ｅＮＢ１０２はまた、特定のＵＥ１１２と通信する際に使用するソフトバッファのサイズを決定するよう構成されるソフトバッファサイズコンポーネント２１０を有してもよい。例えば、ｅＮＢ１０２のソフトバッファサイズコンポーネント２１０は、ＵＥ１１２のソフトバッファサイズコンポーネント２１０と同じ又は同様の方法で動作してもよい。例えば、ｅＮＢ１０２のソフトバッファサイズコンポーネント２１０は、ｅＮＢ１０２が増加したソフトバッファサイズを利用可能であることを通知する情報をｅＮＢ１０２がＵＥ１１２に提供するまで、デフォルトバッファサイズを使用してもよい。
【００５９】
図４は、各種変調方式の尤度比（ＬＬＲ）の対数を示すグラフ４００である。具体的には、グラフ４００は、６４ＱＡＭ及び２５６ＱＡＭの最大変調オーダによるダウンリンクＬＴＥ−Ａのリンクレベルの比較を示す。２５６ＱＡＭによるＬＴＥシステムは、全体的に高いＳＩＮＲにおいてパフォーマンスゲインを提供可能であり、ＬＴＥ−Ａシステムのスループットは２つのレイヤからの送信によって決定されることが理解できる。この観察は、空間レイヤ数又はＲＩによるテーブルの選択を動機付ける。
【００６０】
図５は、ＣＱＩ及びＣＱＩ報告を決定するための方法５００を示す概略的なフローチャート図である。一実施例では、方法５００は、ｅＮＢ１０２又は他のサービングセルとの通信に部分的に基づき、ＵＥ１１２により実行される。
【００６１】
方法５００が開始され、ＵＥ１１２はＵＥ１１２において２５６ＱＡＭを有効化する。例えば、ＵＥ１１２は、２５６ＱＡＭ方式を用いて通信可能な無線機能、ハードウェア及び／又はソフトウェアを有してもよい。ＵＥ１１２は、５０４において、ＵＥ１１２において２つのＣＱＩマッピングテーブル（例えば、デフォルトテーブル及びセカンダリテーブル）を設定する。例えば、ＵＥ１１２は、通信規格内で定義される２つのＣＱＩマッピングテーブルマッピングテーブルにより設定されてもよく、又はｅＮＢ１０２からのテーブルコンフィギュレーションメッセージに基づき動的に設定されてもよい。ＵＥ１１２は、５０６において、通信のためのＲＩを決定し、５０８において、ＲＩに基づきＣＱＩマッピングテーブルを選択する。ＵＥ１１２は、５１０において、選択されたＣＱＩマッピングテーブルにおけるエントリからＣＱＩを決定し、ＣＱＩをサービングセルに報告する。
【００６２】
図６は、ＰＤＳＣＨなどのダウンリンク通信を受信するためのＭＣＳを決定するための方法６００を示す概略的なフローチャート図である。一実施例では、方法６００は、ｅＮＢ１０２又は他のサービングセルとの通信に部分的に基づきＵＥ１１２により実行される。
【００６３】
方法６００が開始され、ＵＥ１１２は、２５６ＱＡＭを用いてＰＤＳＣＨの受信のため設定される。例えば、ＵＥ１１２は、２５６ＱＡＭ方式を用いて通信可能な無線機能、ハードウェア及び／又はソフトウェアを有してもよい。ＵＥ１１２は、６０４において、２つのＭＣＳ／ＴＢＳマッピングテーブル（例えば、デフォルトテーブル及びセカンダリテーブル）を設定する。一実施例では、ＵＥ１１２は、６０４において、サービングセル又はｅＮＢ１０２から受信したメッセージに基づきマッピングテーブルを設定する。ＵＥ１１２は、６０６において、ＤＣＩを受信し、６０８において、ＤＣＩに基づきＭＣＳ／ＴＢＳマッピングテーブルの１つを選択する。例えば、ＤＣＩはレイヤ数を示し、ＵＥ１１２はレイヤ数に基づきテーブルを選択してもよい。他の例として、ＤＣＩはＲＮＴＩに基づきスクランブル化されたＣＲＣを有し、ＵＥ１１２はＲＮＴＩに基づきテーブルを選択してもよい。ＵＥ１１２は、６１０において、ＰＤＳＣＨに使用するＭＣＳを決定し、ＭＣＳに基づきＰＤＳＣＨを受信する。例えば、ＵＥ１１２は、６１０において、ＤＣＩによりＵＥから受信されるＩＭＣＳ値に基づきＭＣＳを決定してもよい。
【００６４】
図７は、ＵＥ１１２においてＭＣＳを設定するための方法７００を示す概略的なフローチャート図である。方法７００は、ＵＥ１１２又は他の無線通信装置によって実行されてもよい。
【００６５】
方法７００が開始され、テーブルコンポーネント２０２は、各テーブルが複数の利用可能な変調方式のエントリを有する２つ以上のテーブルを維持する。２つの以上のテーブルは、デフォルトテーブル及びセカンダリテーブルを有してもよい。一実施例では、デフォルトテーブル及びセカンダリテーブルは、一致した数のエントリを有する。一実施例では、セカンダリテーブルは２５６ＱＡＭ方式に対応するエントリを有する。
【００６６】
テーブル選択コンポーネント２０４は、７０４において、デフォルトテーブル及びセカンダリテーブルの１つから選択されるテーブルを選択する。一実施例では、テーブル選択コンポーネント２０４は、７０４において、サービングセルから受信したＤＣＩに基づきテーブルを選択する。通信コンポーネント２０６は、７０６において、選択されたテーブルのＭＣＳに基づきサービングセルから通信を受信して処理する。
【００６７】
図８は、ＵＥ１１２においてＭＣＳを設定するための方法８００を示す概略的なフローチャート図である。方法８００は、ＵＥ１１２又は他の無線通信装置によって実行されてもよい。
【００６８】
方法８００が開始され、テーブルコンポーネント２０２は、８０２において、モバイル通信装置と基地局との間の通信のための複数の変調方式のエントリを有する第１のテーブルを記憶する。第１のテーブルは、デフォルトテーブル又はレガシーテーブルを有してもよい。テーブルコンポーネント２０２は、８０６において、スモールセルなどの基地局からテーブルコンフィギュレーションメッセージを受信する。テーブルコンフィギュレーションメッセージは、第２のテーブルの少なくとも一部を定義する。第２のテーブルは、第１のテーブルの複数の変調方式の何れよりも上位の変調を有する変調方式のエントリを有する。一実施例では、第２のテーブルは、第１のテーブルと同数のエントリを有し、第１のテーブルの代わりに選択的な使用のため設定される。
【００６９】
テーブル選択コンポーネント２０４は、８０６において、第１のテーブル及び第２のテーブルの１つから選択されるテーブルを選択する。一実施例では、テーブル選択コンポーネント２０４は、７０４において、サービングセルから受信されるＤＣＩに基づきテーブルを選択する。通信コンポーネント２０６は、８０８において、選択されたテーブルのＭＣＳに基づきサービングセルから通信を受信して処理する。
【００７０】
図９は、ＵＥ１１２においてＭＣＳを設定するための方法９００を示す概略的なフローチャート図である。方法９００は、スモールセルなどのｅＮＢ１０２又は他のサービングセルによって実行されてもよい。
【００７１】
方法９００が開始され、テーブルコンフィギュレーションコンポーネント３０２は、９０２において、各テーブルが複数の利用可能な変調方式のエントリを有する２つ以上のテーブルを維持する。１つ以上のテーブルは、第１のテーブル及び第２のテーブルを有し、第１のテーブル及び第２のテーブルは一致する数のエントリを有し、第２のテーブルは、第１のテーブルの最も上位の変調方式により上位の変調方式のエントリを有する。一実施例では、テーブルコンフィギュレーションコンポーネント３０２は、９０２において、テーブルを記憶することによってテーブルを維持する。一実施例では、テーブルコンフィギュレーションコンポーネント３０２は、９０２において、２つのテーブルの少なくとも一部を定義するためのテーブルコンフィギュレーションメッセージをＵＥ１１２に送信することによって、テーブルを維持する。
【００７２】
能力コンポーネント３０４は、９０４において、ＵＥが上位の変調方式に対応していると判断する。例えば、能力コンポーネント３０４は、９０４において、特定のＵＥ１１２が２５６ＱＡＭを用いて通信可能であるか判断してもよい。制御コンポーネント３０６は、９０６において、ＰＤＣＣＨ／ＥＰＤＣＣＨ通信においてＵＥに制御情報を送信する。制御情報は、対応するＰＤＳＣＨの通信に使用する第１のテーブル及び第２のテーブルの何れかのテーブルをＵＥに通知する。
【００７３】
図１０は、ユーザ装置（ＵＥ）、移動局（ＭＳ）、モバイル無線装置、モバイル通信装置、タブレット、ハンドセット又は他のタイプのモバイル無線装置などのモバイル装置の一例となる図を提供する。モバイル装置は、基地局（ＢＳ）、ｅＮＢ、ベースバンドユニット（ＢＢＵ）、リモートラジオヘッド（ＲＲＨ）、リモートラジオ装置（ＲＲＥ）、中継局（ＲＳ）、無線装置（ＲＥ）又は他のタイプのワイヤレスワイドエリアネットワーク（ＷＷＡＮ）アクセスポイントなど、ノード、マクロノード、低電力ノード（ＬＰＮ）又は送信局と通信するよう構成される１つ以上のアンテナを有してもよい。モバイル装置は、３ＧＰＰ  ＬＴＥ、ＷｉＭＡＸ、高速パケットアクセス（ＨＳＰＡ）、ブルートゥース（登録商標）及びＷｉＦｉを含む少なくとも１つの無線通信規格を用いて通信するよう構成されてもよい。モバイル装置は、各無線通信規格について別々のアンテナを用いて、又は複数の無線通信規格について共有アンテナを用いて通信してもよい。モバイル装置は、ワイヤレスローカルエリアネットワーク（ＷＬＡＮ）、ワイヤレスパーソナルエリアネットワーク（ＷＰＡＮ）及び／又はＷＷＡＮにおいて通信してもよい。
【００７４】
図１０はまた、モバイル装置からのオーディオ入出力に利用されうるマイクロフォン及び１つ以上のスピーカの図を提供する。ディスプレイ画面は、液晶ディスプレイ（ＬＣＤ）画面又は有機発光ダイオード（ＯＬＥＤ）ディスプレイなどの他のタイプのディスプレイ画面であってもよい。ディスプレイ画面はタッチ画面として構成されてもよい。タッチ画面は、容量型、抵抗型又は他のタイプのタッチ画面技術を利用してもよい。アプリケーションプロセッサ及びグラフィクスプロセッサは、処理及び表示能力を提供するため内部メモリに接続されてもよい。不揮発性メモリポートはまた、データ入出力オプションをユーザに提供するため利用されてもよい。不揮発性メモリポートはまた、モバイル装置のメモリ能力を拡張するのに利用されてもよい。キーボードは、更なるユーザ入力を提供するため、モバイル装置に統合されるか、又はモバイル装置に無線接続されてもよい。
【００７５】
以下の具体例は更なる実施例に関する。
【００７６】
具体例１は、テーブルコンポーネント、テーブル選択コンポーネント及び通信コンポーネントを有するＵＥである。テーブルコンポーネントは、各テーブルが複数の利用可能な変調方式のエントリを有する２つ以上のテーブルを維持するよう構成される。２つ以上のテーブルは、一致した数のエントリを有するデフォルトテーブル及びセカンダリテーブルを有する。セカンダリテーブルは、２５６ＱＡＭ方式に対応するエントリを有する。テーブル選択コンポーネントは、デフォルトテーブル及びセカンダリテーブルの１つから選択されるテーブルを選択するよう構成される。通信コンポーネントは、選択されたテーブルの変調符号化方式に基づきｅＮＢから通信を受信して処理するよう構成される。
【００７７】
具体例２では、具体例１のデフォルトテーブル及びセカンダリテーブルはそれぞれ、変調符号化方式インデックスに基づき変調オーダ及びトランスポートブロックサイズを選択するのに利用される変調符号化方式テーブルを有する。セカンダリテーブルは、デフォルトテーブルの代わりに選択的な利用のためのものである。
【００７８】
具体例３では、具体例２のデフォルトテーブルは、第１の変調オーダに対応する第１のエントリと、第１の変調オーダより上位の第２の変調オーダに対応する第２のエントリとを有する。第１のエントリ及び第２のエントリは、同じスペクトル効率を有する符号化方式に対応し、セカンダリテーブルは、第１のエントリ及び第２のエントリの１つの代わりに２５６ＱＡＭ方式に対応するエントリを有する。
【００７９】
具体例４では、具体例１〜３の何れかのデフォルトテーブル及びセカンダリテーブルのそれぞれは、チャネル品質インジケータインデックスに基づき当該ＵＥに好ましい変調及び符号化レートを示すのに用いられるチャネル品質インジケータテーブルを有する。セカンダリテーブルは、デフォルトテーブルの代わりに選択的な利用のためのものである。
【００８０】
具体例５では、具体例１〜４の何れかのデフォルトテーブルは、デフォルト変調符号化方式テーブルを有し、セカンダリテーブルは、セカンダリ変調符号化方式テーブルを有する。テーブルコンポーネントは更に、デフォルトチャネル品質インジケータテーブルとセカンダリチャネル品質インジケータテーブルとを維持するよう構成される。テーブル選択コンポーネントは更に、任意的には、デフォルト変調符号化方式テーブルとセカンダリ変調符号化方式テーブルとの１つを有する複数の選択されるテーブルを選択し、デフォルトチャネル品質インジケータテーブルとセカンダリチャネル品質インジケータテーブルとの１つを選択するよう構成される。
【００８１】
具体例６では、具体例１〜５の何れかのテーブル選択コンポーネントは、ＵＥが選択されるテーブルを示すＲＲＣレイヤメッセージ又はＭＡＣレイヤメッセージの１つ以上を受信したことに応答して、選択されるテーブルを選択するよう構成される。
【００８２】
具体例７では、具体例１〜６の何れかのテーブル選択コンポーネントは、ＵＥがＰＤＣＣＨ又はＥＰＤＣＣＨ通信においてダウンリンク制御情報を受信したことに応答して、選択されるテーブルを選択するよう構成される。
【００８３】
具体例８では、具体例１〜７の何れかのＵＥは、最大ソフトバッファサイズを有するソフトバッファを有する。ＵＥは更に、ｅＮＢからの通知が最大ソフトバッファサイズに対応する能力を示すまで、デフォルトソフトバッファサイズを使用するよう構成されるソフトバッファサイズコンポーネントを有する。デフォルトソフトバッファサイズは、最大ソフトバッファサイズ未満である。
【００８４】
具体例９では、具体例８のソフトバッファサイズコンポーネントは、ｅＮＢが２５６ＱＡＭを設定したことに応答して、最大ソフトバッファサイズを選択する。
【００８５】
具体例１０は、モバイル通信装置と基地局との間の通信のための複数の変調方式のエントリを有する第１のテーブルを記憶するよう構成されるモバイル通信装置である。モバイル通信装置は更に、基地局からテーブルコンフィギュレーションメッセージを受信するよう構成され、テーブルコンフィギュレーションメッセージは第２のテーブルの少なくとも一部を規定する。第２のテーブルは、第１のテーブルの複数の変調方式より上位の変調オーダを有する変調方式を有する。第２のテーブルは、第１のテーブルと同数のエントリを有し、第２のテーブルは、第１のテーブルの代わりに選択的な使用のため構成される。モバイル通信装置は更に、第１のテーブル及び第２のテーブルの１つから選択されるテーブルを選択し、選択されたテーブルにおけるエントリに基づき基地局から通信を受信して処理するよう構成される。
【００８６】
具体例１１では、具体例１０の第１のテーブル及び第２のテーブルは、通信規格によって予め定義される。
【００８７】
具体例１２では、具体例１０〜１１の何れかのモバイル通信装置は更に、現在のチャネル品質に基づきランクインジケータを決定し、ランクインジケータに基づき選択されるテーブルを選択するよう構成される。
【００８８】
具体例１３では、具体例１２の選択されるテーブルの選択は、ＲＲＣレイヤメッセージ及びＭＡＣレイヤメッセージの１つ以上を介し設定されるランクインジケータ閾値を充足又は超過したランクインジケータに基づく選択を含む。
【００８９】
具体例１４では、具体例１０〜１３の何れかのテーブルコンフィギュレーションメッセージは、任意的には、第１のテーブルにおける何れのエントリが削除され、第２のテーブルにおける上位の変調に対応するエントリと置換されるべきか示す。
【００９０】
具体例１５では、具体例１０〜１４の何れかの選択されるテーブルの選択は、物理レイヤ通信において受信される制御情報に基づく選択を含む。
【００９１】
具体例１６では、具体例１０〜１５の何れかの制御情報は、スケジューリングされたレイヤ数を示し、選択されるテーブルの選択は、スケジューリングされたレイヤ数に基づく選択を含む。
【００９２】
具体例１７では、具体例１０〜１６の何れかの選択されるテーブルの選択は、ＲＲＣレイヤメッセージ又はＭＡＣレイヤメッセージの１つ以上を介し設定されるレイヤ閾値を充足又は超過したスケジューリングされたレイヤ数に基づく選択を含む。
【００９３】
具体例１８では、具体例１０〜１７の何れかの物理レイヤ通信は、ＲＮＴＩを用いてスクランブル化されるに対応する巡回冗長チェックを含み、選択されるテーブルは、ＲＮＴＩに基づき選択される。
【００９４】
具体例１９では、具体例１８のＲＮＴＩは、Ｃ−ＲＮＴＩを含む。
【００９５】
具体例２０では、具体例１０〜１９の何れかのモバイル通信装置は、最大ソフトバッファサイズを有するソフトバッファを有する。モバイル通信装置は更に、基地局からの通知が最大ソフトバッファサイズに対応する能力を示すまで、デフォルトソフトバッファサイズを使用するよう構成される。デフォルトソフトバッファサイズは、最大ソフトバッファサイズ未満である。
【００９６】
具体例２１では、具体例１０〜２０の何れかのモバイル通信装置は、ｅＮＢが上位の変調を有する変調方式を設定したことに応答して、最大ソフトバッファサイズを使用するよう構成される。上位の変調は、２５６ＱＡＭを有する。
【００９７】
具体例２２は、テーブルコンフィギュレーションコンポーネント、能力コンポーネント及び制御コンポーネントを有するｅＮＢである。テーブルコンポーネントは、各テーブルが複数の利用可能な変調方式のエントリを有する２つ以上のテーブルを維持するよう構成される。１つ以上のテーブルは、一致する数のエントリを有する第１のテーブル及び第２のテーブルを有する。第２のテーブルは、第１のテーブルの最も上位の変調方式より上位の変調方式のエントリを有する。能力コンポーネントは、ＵＥが上位の変調方式に対応すると判断するよう構成される。ｅＮＢはスモールセルを介しＵＥと通信する。制御コンポーネントは、ＰＤＣＣＨ又はＥＰＤＣＣＨ通信においてＵＥに制御情報を送信するよう構成される。制御情報は、対応するＰＤＳＣＨ通信に使用する第１のテーブル及び第２のテーブルの何れかのテーブルをＵＥに通知する。
【００９８】
具体例２３では、具体例２２の能力コンポーネントは、ＵＥがＵＥの３ＧＰＰリリースバージョンに基づき上位の変調方式に対応すると判断するよう構成される。
【００９９】
具体例２４では、具体例２２〜２３の何れかのｅＮＢは更に、推奨される変調及び推奨される符号化レートを示すチャネル品質インジケータをＵＥから受信し、チャネル品質インジケータに基づきＵＥの変調符号化方式を決定するよう構成される。
【０１００】
具体例２５では、具体例２２〜２４の何れかの制御コンポーネントは更に、ＰＤＳＣＨ通信を受信及び処理するため、変調符号化方式を示す変調符号化方式インデックスを有する制御情報を送信するよう構成される。
【０１０１】
具体例２６は、ＭＣＳを決定する方法である。当該方法は、各テーブルが複数の利用可能な変調方式のエントリを有する２つ以上のテーブルを維持することを含む。２つ以上のテーブルは、一致した数のエントリを有するデフォルトテーブル及びセカンダリテーブルを有する。セカンダリテーブルは、２５６ＱＡＭ方式に対応するエントリを有する。当該方法は、デフォルトテーブル及びセカンダリテーブルの１つから選択されるテーブルを選択することを含む。当該方法は、選択されたテーブルの変調符号化方式に基づきｅＮＢから通信を受信して処理することを含む。
【０１０２】
具体例２７では、具体例２６のデフォルトテーブル及びセカンダリテーブルはそれぞれ、変調符号化方式インデックスに基づき変調オーダ及びトランスポートブロックサイズを選択するのに利用される変調符号化方式テーブルを有する。セカンダリテーブルは、デフォルトテーブルの代わりに選択的な利用のためのものである。
【０１０３】
具体例２８では、具体例２７のデフォルトテーブルは、第１の変調オーダに対応する第１のエントリと、第１の変調オーダより上位の第２の変調オーダに対応する第２のエントリとを有する。第１のエントリ及び第２のエントリは、同じスペクトル効率を有する符号化方式に対応し、セカンダリテーブルは、第１のエントリ及び第２のエントリの１つの代わりに２５６ＱＡＭ方式に対応するエントリを有する。
【０１０４】
具体例２９では、具体例２６〜２８の何れかのデフォルトテーブル及びセカンダリテーブルのそれぞれは、チャネル品質インジケータインデックスに基づき当該ＵＥに好ましい変調及び符号化レートを示すのに用いられるチャネル品質インジケータテーブルを有する。セカンダリテーブルは、デフォルトテーブルの代わりに選択的な利用のためのものである。
【０１０５】
具体例３０では、具体例２６〜２９の何れかのデフォルトテーブルは、デフォルト変調符号化方式テーブルを有し、セカンダリテーブルは、セカンダリ変調符号化方式テーブルを有する。当該方法は更に、デフォルトチャネル品質インジケータテーブルとセカンダリチャネル品質インジケータテーブルとを維持することを有する。当該方法は、デフォルト変調符号化方式テーブルとセカンダリ変調符号化方式テーブルとの１つを有する複数の選択されるテーブルを選択し、デフォルトチャネル品質インジケータテーブルとセカンダリチャネル品質インジケータテーブルとの１つを選択することを有する。
【０１０６】
具体例３１では、具体例２６〜３０の何れかの方法は、ＵＥが選択されるテーブルを示すＲＲＣレイヤメッセージ又はＭＡＣレイヤメッセージの１つ以上を受信したことに応答して、選択されるテーブルを選択することを有する。
【０１０７】
具体例３２では、具体例２６〜３１の何れかの選択されるテーブルの選択は、ＵＥがＰＤＣＣＨ又はＥＰＤＣＣＨ通信においてダウンリンク制御情報を受信したことに応答して、選択されるテーブルを選択することを有する。
【０１０８】
具体例３３では、具体例２６〜３２の何れかのＵＥは、最大ソフトバッファサイズを有するソフトバッファを有する。当該方法は更に、ｅＮＢからの通知が最大ソフトバッファサイズに対応する能力を示すまで、デフォルトソフトバッファサイズを使用することを有する。デフォルトソフトバッファサイズは、最大ソフトバッファサイズ未満である。
【０１０９】
具体例３４では、具体例３３の方法は、ｅＮＢが２５６ＱＡＭを設定したことに応答して、最大ソフトバッファサイズを選択することを有する。
【０１１０】
具体例３５は、モバイル通信装置と基地局との間の通信のための複数の変調方式のエントリを有する第１のテーブルを記憶することを含むＭＣＳを決定する方法である。当該方法は更に、基地局からテーブルコンフィギュレーションメッセージを受信することを有し、テーブルコンフィギュレーションメッセージは第２のテーブルの少なくとも一部を規定する。第２のテーブルは、第１のテーブルの複数の変調方式より上位の変調オーダを有する変調方式を有する。第２のテーブルは、第１のテーブルと同数のエントリを有し、第２のテーブルは、第１のテーブルの代わりに選択的な使用のため構成される。当該方法は、第１のテーブル及び第２のテーブルの１つから選択されるテーブルを選択し、選択されたテーブルにおけるエントリに基づき基地局から通信を受信して処理することを有する。
【０１１１】
具体例３６では、具体例３５の第１のテーブル及び第２のテーブルは、通信規格によって予め定義される。
【０１１２】
具体例３７では、具体例３５〜３６の何れかの方法は更に、現在のチャネル品質に基づきランクインジケータを決定し、ランクインジケータに基づき選択されるテーブルを選択することを有する。
【０１１３】
具体例３８では、具体例３７の選択されるテーブルの選択は、任意的には、ＲＲＣレイヤメッセージ及びＭＡＣレイヤメッセージの１つ以上を介し設定されるランクインジケータ閾値を充足又は超過したランクインジケータに基づく選択を含む。
【０１１４】
具体例３９では、具体例３５〜３８の何れかのテーブルコンフィギュレーションメッセージは、任意的には、第１のテーブルにおける何れのエントリが削除され、第２のテーブルにおける上位の変調に対応するエントリと置換されるべきか示す。
【０１１５】
具体例４０では、具体例３５〜３９の何れかの選択されるテーブルの選択は、物理レイヤ通信において受信される制御情報に基づく選択を含む。
【０１１６】
具体例４１では、具体例３５〜４０の何れかの制御情報は、スケジューリングされたレイヤ数を示し、選択されるテーブルの選択は、スケジューリングされたレイヤ数に基づく選択を含む。
【０１１７】
具体例４２では、具体例３５〜４１の何れかの選択されるテーブルの選択は、ＲＲＣレイヤメッセージ又はＭＡＣレイヤメッセージの１つ以上を介し設定されるレイヤ閾値を充足又は超過したスケジューリングされたレイヤ数に基づく選択を含む。
【０１１８】
具体例４３では、具体例３５〜４２の何れかの物理レイヤ通信は、ＲＮＴＩを用いてスクランブル化されるに対応する巡回冗長チェックを含み、選択されるテーブルは、ＲＮＴＩに基づき選択される。
【０１１９】
具体例４４では、具体例４３のＲＮＴＩは、Ｃ−ＲＮＴＩを含む。
【０１２０】
具体例４５では、具体例３５〜４４の何れかのモバイル通信装置は、最大ソフトバッファサイズを有するソフトバッファを有する。当該方法は更に、基地局からの通知が最大ソフトバッファサイズに対応する能力を示すまで、デフォルトソフトバッファサイズを使用することを有する。デフォルトソフトバッファサイズは、最大ソフトバッファサイズ未満である。
【０１２１】
具体例４６では、具体例３５〜４５の何れかの方法は、ｅＮＢが上位の変調を有する変調方式を設定したことに応答して、最大ソフトバッファサイズを使用するよう構成される。上位の変調は、２５６ＱＡＭを有する。
【０１２２】
具体例４７は、各テーブルが複数の利用可能な変調方式のエントリを有する２つ以上のテーブルを維持することを含むＭＣＳを決定する方法である。１つ以上のテーブルは、一致する数のエントリを有する第１のテーブル及び第２のテーブルを有する。第２のテーブルは、第１のテーブルの最も上位の変調方式より上位の変調方式のエントリを有する。当該方法は、ＵＥが上位の変調方式に対応すると判断することを有する。ｅＮＢはスモールセルを介しＵＥと通信する。当該方法は、ＰＤＣＣＨ又はＥＰＤＣＣＨ通信においてＵＥに制御情報を送信することを有する。制御情報は、対応するＰＤＳＣＨ通信に使用する第１のテーブル及び第２のテーブルの何れかのテーブルをＵＥに通知する。
【０１２３】
具体例４８では、具体例４７のＵＥが上位の変調方式に対応すると判断することは、ＵＥの３ＧＰＰリリースバージョンに基づく判断を有する。
【０１２４】
具体例４９では、具体例４７〜４８の何れかの方法は更に、推奨される変調及び推奨される符号化レートを示すチャネル品質インジケータをＵＥから受信し、チャネル品質インジケータに基づきＵＥの変調符号化方式を決定することを有する。
【０１２５】
具体例５０では、具体例４７〜４９の何れかの方法は更に、ＰＤＳＣＨ通信を受信及び処理するため、変調符号化方式を示す変調符号化方式インデックスを有する制御情報を送信することを有する。
【０１２６】
具体例５１は、具体例２６〜５０の何れかの方法を実行する手段を有する装置である。
【０１２７】
具体例５２は、実行されると、具体例２６〜５１の何れかの装置又は方法を実現する機械可読命令を有する機械可読ストレージである。
【０１２８】
各種技術又はそれらの特定の側面又は部分は、フロッピー（登録商標）ディスケット、ＣＤ−ＲＯＭ、ハードドライブ、非一時的コンピュータ可読記憶媒体又は他の何れかの機械可読記憶媒体など、有形な媒体に実現されるプログラムコード（すなわち、命令）の形態をとりうるものであり、プログラムコードがコンピュータなどのマシーンにロード及び実行されると、当該マシーンは各種技術を実施するための装置になる。プログラマブルコンピュータ上のプログラムコードの実行の場合、計算装置は、プロセッサ、プロセッサにより可読な記憶媒体（揮発性及び不揮発性メモリ及び／又はストレージ要素を含む）、少なくとも１つの入力装置及び少なくとも１つの出力装置を含むものであってもよい。揮発性及び不揮発性メモリ及び／又はストレージ要素は、ＲＡＭ、ＥＰＲＯＭ、フラッシュドライブ、光ドライブ、磁気ハードドライブ又は電子データを記憶するための他の媒体であってもよい。ｅＮＢ（又は他の基地局）及びＵＥ（又は他の移動局）はまた、送受信コンポーネント、カウンタコンポーネント、処理コンポーネント及び／又はクロックコンポーネント若しくはタイマコンポーネントを有してもよい。ここに説明された各種技術を実現又は利用可能な１つ以上のプログラムは、アプリケーションプログラミングインタフェース（ＡＰＩ）、再利用可能なコントロールなどを利用してもよい。このようなプログラムは、コンピュータシステムと通信するための高水準手続き型又はオブジェクト指向型プログラミング言語により実現されてもよい。しかしながら、プログラムは、所望される場合、アセンブリ又は機械語により実現されてもよい。何れのケースでも、言語はコンパイル又はインタープリットされた言語であり、ハードウェア実装と組み合わされてもよい。
【０１２９】
本明細書で説明される機能ユニットの多くは、それらの実現の独立性を特に強調するのに用いられる用語である１つ以上のコンポーネントとして実現されてもよいことが理解されるべきである。例えば、コンポーネントは、カスタムＶＬＳＩ（Ｖｅｒｙ  Ｌａｒｇｅ  Ｓｃａｌｅ  Ｉｎｔｅｇｒａｔｉｏｎ）回路又はゲートアレイ、論理チップ、トランジスタ又は他の離散的コンポーネントなどのオフ・ザ・シェルフ半導体を有するハードウェア回路として実現されてもよい。コンポーネントはまた、ＦＰＧＡ、プログラマブルアレイロジック、プログラマブル論理装置などのプログラム可能なハードウェア装置により実現されてもよい。
【０１３０】
コンポーネントはまた、各種タイプのプロセッサによる実行のためソフトウェアにより実現されてもよい。特定された実行可能なコードのコンポーネントは、例えば、オブジェクト、プロシージャ又はファンクションとして構成可能なコンピュータ命令の１つ以上の物理又は論理ブロックを有してもよい。にもかかわらず、特定されたコンポーネントの実行可能性は、物理的に共置される必要はなく、論理的に結合されると、コンポーネントを構成し、コンポーネントの説明された目的を実現する異なる位置に記憶された異なる命令を有してもよい。
【０１３１】
実際、実行可能コードのコンポーネントは、単一の命令又は多数の命令であってもよく、複数の異なるコードセグメント、異なるプログラム及び複数のメモリ装置に分散されてもよい。同様に、処理データはコンポーネント内で特定及び示されてもよく、何れか適切な形態で実現され、何れか適切なタイプのデータ構造内で構成されてもよい。処理データは、単一のデータセットとして収集されるか、又は異なる記憶装置を含む異なる位置に分散されてもよく、少なくとも部分的にシステム又はネットワーク上の電子信号として存在してもよい。コンポーネントは、所望の機能を実行するよう動作可能なエージェントを含むパッシブ又はアクティブであってもよい。
【０１３２】
本明細書における“具体例”の参照は、具体例に関して説明される特定の特徴、構成又は特性が本開示の少なくとも１つの実施例に含まれることを意味する。従って、本明細書の各所における“具体例では”というフレーズの出現は、全てが必ずしも同一の実施例を参照しているとは限らない。
【０１３３】
ここで用いられる複数のアイテム、構造要素、構成要素及び／又は物質は、便宜上共通のリストに提供されてもよい。しかしながら、これらのリストは、リストの各メンバーが別々で位置的なメンバーとしてあたかも特定されるように解釈されるべきである。従って、このようなリストの個々のメンバーは、反対の指摘がない場合、共通のグループにおけるそれの提示に基づき同一のリストの他の何れかのメンバーの実質的に均等として解釈されるべきである。さらに、本開示の各種実施例及び具体例は、各種コンポーネントの代替と共にここで参照されてもよい。このような実施例、具体例及び代替は、互いの実質的に均等として解釈されるべきでなく、本開示の別々の自律的な表現として見なされるべきであることが理解される。
【０１３４】
上記は簡単化のため詳細に説明されたが、特定の変更及び修正はその原理から逸脱することなく行われうることが明らかであろう。ここに説明された処理と装置との双方を実現するための他の多数の方法があることが留意されるべきである。従って、本実施例は、例示的であって限定的でないとみなされるべきであり、本開示はここに与えられた詳細に限定されず、添付した請求項の範囲及び均等の範囲内で修正されてもよい。
【０１３５】
当業者は、本開示の基礎となる原理から逸脱することなく、上述した実施例の詳細に対して多くの変更が可能であると理解する。本開示の範囲は、従って、以下の請求項のみによって決定されるべきである。
【図１】
2018152856.tif 000010
【図２】
2018152856.tif 000011
【図３】
2018152856.tif 000012
【図４】
2018152856.tif 000013
【図５】
2018152856.tif 000014
【図６】
2018152856.tif 000015
【図７】
2018152856.tif 000016
【図８】
2018152856.tif 000017
【図９】
2018152856.tif 000018
【図１０】
2018152856.tif 000019
【外国語明細書】
2018152856000001.pdf